(57)【要約】【課題】係員の負担を軽減することができ、しかも、カード媒体の処理効率を向上することが可能なカード処理装置及びカード処理方法を提供することを目的とする。【解決手段】カード製造ユニット１００は、搬送路に沿って搬送されたカード媒体に対して磁気処理を施す磁気処理部１２０と、カード媒体への磁気処理異常を検知するベリファイヘッド１２４と、カード媒体の搬送異常を検知するセンサＳと、異常を検知したのに基づいて操作ユニットの表示部にカード媒体が存在する搬送路上の位置をカード媒体の処理状態に対応した所定の色で表示させるＣＰＵ２００と、を備えている。【選択図】    図３
2004185295.tif 000002
【特許請求の範囲】
【請求項１】
搬送路に沿って搬送されたカード媒体に対して磁気処理を施す磁気処理手段と、
カード媒体の異常を検知する異常検知手段と、
前記異常検知手段により異常を検知したのに基づいて、カード媒体が存在する搬送路上の位置をカード媒体の処理状態に対応した所定の色で表示する表示手段と、
を備えたことを特徴とするカード処理装置。
【請求項２】
カード媒体を搬送路に沿って搬送する搬送手段と、
前記搬送手段により搬送されたカード媒体に対して磁気処理を施す磁気処理手段と、
カード媒体に対して施した処理の異常を検知する異常検知手段と、
カード媒体の搬送路上における位置を表示するとともに、第１処理状態のカード媒体を第１色で表示し、第２処理状態のカード媒体を第２色で表示する表示手段と、
前記異常検知手段により異常を検知したのに基づいて、前記搬送手段によるカード媒体の搬送を停止するとともに、前記表示手段により搬送路上に停止したカード媒体の位置をカード媒体の処理状態に対応した色で表示させる制御手段と、
を備えたことを特徴とするカード処理装置。
【請求項３】
カード媒体を搬送路に沿って搬送する搬送手段と、
前記搬送手段により搬送されたカード媒体に対して磁気処理を施す磁気処理手段と、
カード媒体を搬送する途中で発生した搬送異常及びカード媒体に対して施した磁気処理の異常を検知する異常検知手段と、
カード媒体の搬送路上における位置を表示するとともに、正常に磁気処理を完了したカード媒体を第１色で表示し、磁気処理を正常に完了しなかったカード媒体を第２色で表示する表示手段と、
前記異常検知手段により異常を検知したのに基づいて、前記搬送手段によるカード媒体の搬送を停止するとともに、前記表示手段により搬送路上に停止したカード媒体の位置をカード媒体の処理状態に対応した色で表示させる制御手段と、
を備えたことを特徴とするカード処理装置。
【請求項４】
搬送路に沿って搬送されたカード媒体に対して磁気処理を施す磁気処理手段と、
搬送路に沿って搬送されたカード媒体に対して印刷処理を施す印刷手段と、
カード媒体の異常を検知する異常検知手段と、
前記異常検知手段により異常を検知したのに基づいて、カード媒体が存在する搬送路上の位置をカード媒体の処理状態に対応した所定の色で表示する表示手段と、
を備えたことを特徴とするカード処理装置。
【請求項５】
カード媒体を搬送路に沿って搬送する搬送手段と、
前記搬送手段により搬送されたカード媒体に対して磁気処理を施す磁気処理手段と、
前記搬送手段により搬送されたカード媒体に対して印刷処理を施す印刷手段と、
カード媒体に対して施した処理の異常を検知する異常検知手段と、
カード媒体の搬送路上における位置を表示するとともに、第１処理状態のカード媒体を第１色で表示し、第２処理状態のカード媒体を第２色で表示する表示手段と、
前記異常検知手段により異常を検知したのに基づいて、前記搬送手段によるカード媒体の搬送を停止するとともに、前記表示手段により搬送路上に停止したカード媒体の位置をカード媒体の処理状態に対応した色で表示させる制御手段と、を備えたことを特徴とするカード処理装置。
【請求項６】
カード媒体を搬送路に沿って搬送する搬送手段と、
前記搬送手段により搬送されたカード媒体に対して磁気処理を施す磁気処理手段と、
前記搬送手段により搬送されたカード媒体に対して印刷処理を施す印刷手段と、
カード媒体を搬送する途中で発生した搬送異常及びカード媒体に対して施した磁気処理の異常を検知する異常検知手段と、
カード媒体の搬送路上における位置を表示するとともに、正常に磁気処理及び印刷処理を完了したカード媒体を第１色で表示し、印刷処理前のカード媒体を第２色で表示し、印刷処理途中のカード媒体を第３色で表示する表示手段と、
前記異常検知手段により異常を検知したのに基づいて、前記搬送手段によるカード媒体の搬送を停止するとともに、前記表示手段により搬送路上に停止したカード媒体の位置をカード媒体の処理状態に対応した色で表示させる制御手段と、
を備えたことを特徴とするカード処理装置。
【請求項７】
前記磁気処理手段は、カード媒体に磁気情報を書き込む書込手段と、カード媒体に書き込まれた磁気情報を確認する確認手段と、を備え、
前記確認手段は、カード媒体に対して施した磁気処理の異常を検知することを特徴とする請求項１乃至６のいずれか１項に記載のカード処理装置。
【請求項８】
前記搬送路に存在するカード媒体の位置を検知する検知手段を備え、
前記検知手段は、カード媒体を搬送する途中で発生した搬送異常を検知することを特徴とする請求項１乃至６のいずれか１項に記載のカード処理装置。
【請求項９】
カード媒体を搬送路に沿って搬送し、
搬送されたカード媒体に対して磁気処理を施し、
カード媒体の異常を検知したのに基づいて、カード媒体が存在する搬送路上の位置をカード媒体の処理状態に対応した所定の色で表示する、
ことを特徴とするカード処理方法。
【請求項１０】
カード媒体を搬送路に沿って搬送し、
搬送されたカード媒体に対して磁気処理を施し、
カード媒体に対して施した処理の異常を検知したのに基づいて、カード媒体の搬送を停止し、
搬送路上に停止したカード媒体の位置を、第１処理状態のカード媒体に対しては第１色で表示し、第２処理状態のカード媒体に対しては第２色で表示する、
ことを特徴とするカード処理方法。
【請求項１１】
カード媒体を搬送路に沿って搬送し、
搬送されたカード媒体に対して磁気処理を施し、
カード媒体を搬送する途中で発生した搬送異常及びカード媒体に対して施した磁気処理の異常を検知したのに基づいて、カード媒体の搬送を停止し、
搬送路上に停止したカード媒体の位置を、正常に磁気処理を完了したカード媒体に対しては第１色で表示し、磁気処理を正常に完了しなかったカード媒体に対しては第２色で表示する、
ことを特徴とするカード処理方法。
【請求項１２】
カード媒体を搬送路に沿って搬送し、
搬送されたカード媒体に対して磁気処理を施し、
搬送されたカード媒体に対して印刷処理を施し、
カード媒体の異常を検知したのに基づいて、カード媒体が存在する搬送路上の位置をカード媒体の処理状態に対応した所定の色で表示する、
ことを特徴とするカード処理方法。
【請求項１３】
カード媒体を搬送路に沿って搬送し、
搬送されたカード媒体に対して磁気処理を施し、
搬送されたカード媒体に対して印刷処理を施し、
カード媒体に対して施した処理の異常を検知したのに基づいて、カード媒体の搬送を停止し、
搬送路上に停止したカード媒体の位置を、第１処理状態のカード媒体に対しては第１色で表示し、第２処理状態のカード媒体に対しては第２色で表示する、
ことを特徴とするカード処理方法。
【請求項１４】
カード媒体を搬送路に沿って搬送し、
搬送されたカード媒体に対して磁気処理を施し、
搬送されたカード媒体に対して印刷処理を施し、
カード媒体を搬送する途中で発生した搬送異常及びカード媒体に対して施した磁気処理の異常を検知したのに基づいて、カード媒体の搬送を停止し、
搬送路上に停止したカード媒体の位置を、正常に磁気処理及び印刷処理を完了したカード媒体に対しては第１色で表示し、印刷処理前のカード媒体に対しては第２色で表示し、印刷処理途中のカード媒体に対しては第３色で表示する、
ことを特徴とするカード処理方法。
【発明の詳細な説明】
【０００１】
【発明の属する技術分野】
この発明は、カード処理装置及びカード処理方法に係り、特に、処理途中において異常を発生したカード媒体の再利用処理に関する。
【０００２】
【従来の技術】
従来、乗車券や各種カード媒体を発券する発券機を備えた券類処理装置が提案されている（例えば、特許文献１参照。）。このような装置においては、供給部から供給されたカード媒体に対してすべての処理を施して集積部に集積したタイミングで供給部から次のカード媒体が供給される。
【０００３】
【特許文献１】
特開平１０−３３４２８５号公報
【発明が解決しようとする課題】
上述したような装置において、単位時間当たりの処理枚数を増やそうとした場合、先に供給されたカード媒体が集積部に集積される前のタイミングで次のカード媒体を供給する必要がある。つまり、供給部から集積部の間の搬送路上には、少なくとも２枚のカード媒体が存在することになる。
【０００４】
このような状態で、搬送路の途中でのジャム（すなわち搬送路中にカード媒体が滞留することによるカード詰まり）や、磁気処理部においてのエンコードミスなどの各種異常が発生した場合、どのカード媒体がどのような異常を発生したのか対応付けが複雑となる。
【０００５】
また、係員が操作する操作ユニット側では、表示部に異常を発生した旨が表示されるのみである。したがって、異常発生から復帰するための処理に多大な時間を要する。係員は、カード媒体の搬送状態を考慮して、エンコードの有無や印刷処理の有無などの処理状態を判断し、適切な後処理を行う必要がある。すなわち、このような異常を発生した場合、カード媒体の処理効率が低下するばかりでなく、係員に大きな負担がかかることになる。
【０００６】
この発明は、上述した問題点に鑑みなされたものであって、その目的は、係員の負担を軽減することができ、しかも、カード媒体の処理効率を向上することが可能なカード処理装置及びカード処理方法を提供することにある。
【０００７】
【課題を解決するための手段】
この発明の第１の様態によるカード処理装置は、
搬送路に沿って搬送されたカード媒体に対して磁気処理を施す磁気処理手段と、
カード媒体の異常を検知する異常検知手段と、
前記異常検知手段により異常を検知したのに基づいて、カード媒体が存在する搬送路上の位置をカード媒体の処理状態に対応した所定の色で表示する表示手段と、
を備えたことを特徴とする。
【０００８】
この発明の第２の様態によるカード処理方法は、
カード媒体を搬送路に沿って搬送し、
搬送されたカード媒体に対して磁気処理を施し、
カード媒体の異常を検知したのに基づいて、カード媒体が存在する搬送路上の位置をカード媒体の処理状態に対応した所定の色で表示する、
ことを特徴とする。
【０００９】
【発明の実施の形態】
以下、この発明の一実施の形態に係るカード処理装置及びカード処理方法について図面を参照して説明する。なお、ここで説明するカード処理装置は、交通機関などで流通しているカード媒体を処理するものであり、例えばストアードフェアカード、ストアードライドカード、各種企画カード、金額券カードなどを処理するものである。
【００１０】
図１に示すように、カード処理装置の一実施の形態に係るカード処理システム１は、操作ユニット１０と、カード製造ユニット１００とを備えている。すなわち、操作ユニット１０は、システム全体を制御する制御部１１を備えている。この制御部１１には、メモリ部１２、入力部１３、表示手段として機能する表示部１４、通信制御部１５などが接続されている。
【００１１】
メモリ部１２は、システム全体を制御するために必要な所定データを記憶している。入力部１３は、必要な所定情報の入力を受け付ける。表示部１４は、システム全体の動作状態、入力部１３を介して入力された所定情報などを表示する。また、この表示部１４は、カード製造ユニット１００において、カード媒体が存在する搬送路上の位置をカード媒体の処理状態に対応した所定の色で表示可能に構成されている。通信制御部１５は、通信回線を介して接続されたカード製造ユニット１００などとの間でデータの送受信を行う。
【００１２】
図２に示すように、カード製造ユニット１００は、４つのセクション、すなわち供給手段として機能する供給部１１０、磁気処理手段として機能する磁気処理部１２０、印刷手段として機能する印刷処理部１３０、及び、集積部１４０を備えて構成されている。
【００１３】
また、このカード製造ユニット１００は、各セクションを接続するように設けられた搬送手段として機能する搬送機構１５０を備えている。すなわち、この搬送機構１５０は、供給部１００から集積部１４０までの間を結ぶ搬送路に沿って設けられ、これらの間でカード媒体を搬送する。搬送路は、複数の搬送ベルト及び搬送ローラによって規定されている。
【００１４】
供給部１１０は、２つのホッパすなわち上部ホッパ１１１及び下部ホッパ１１２を備えている。これらのホッパ１１１及び１１２は、磁気処理及び印刷処理ともになされていないカード媒体を所定枚数スタックすることが可能であり、例えば最大で１０００枚のカード媒体を搭載可能である。各ホッパ１１１及び１１２は、カード媒体を１枚ずつ取り出して搬送機構１５０に供給する。
【００１５】
また、供給部１１０は、手差し部１１３を備えている。この手差し部１１３は、１枚ずつセットされたカード媒体を取り出して搬送機構１５０に供給する。この手差し部１１３から供給されるカード媒体は、いずれかのセクションにおいて処理途中に異常を発生した再供給媒体であり、磁気処理前、磁気処理途中、印刷処理前などのカード媒体に対応する。
【００１６】
磁気処理部１２０は、バーコードリーダ部１２１、読取ヘッド１２２、書込手段として機能する書込ヘッド１２３、確認手段及び異常検知手段として機能するベリファイヘッド１２４などを備えている。バーコードリーダ部１２１は、カード媒体に予め印刷されたバーコードを読み取る。
【００１７】
読取ヘッド１２２は、カード媒体の磁気バーコード及びその他の磁気トラックに予め記録された磁気情報を読み取る。また、この読取ヘッド１２２は、再供給媒体に記録されたカード媒体固有の識別情報などの磁気情報を読み取る。書込ヘッド１２３は、カード媒体の磁気バーコード及びその他の磁気トラックに識別情報などの磁気情報を書き込む。ベリファイヘッド１２４は、書込ヘッド１２３によって書き込まれた所定の磁気情報を読み取る。
【００１８】
印刷処理部１３０は、カード媒体の表面に所定情報を印刷する第１印刷ヘッド１３１、カード媒体の裏面に所定情報を印刷する第２印刷ヘッド１３２などを備えいている。また、この印刷処理部１３０は、必要に応じて、カード媒体にパンチ処理を施すパンチ処理部、カード媒体のパンチ穴を検知する検知部などを備えても良い。
【００１９】
集積部１４０は、磁気処理及び印刷処理が施されたカード媒体を集積するスタッカ部１４１、印刷処理途中などの不良カード媒体を回収する回収部１４２などを備えている。
【００２０】
各セクションは、搬送路に沿って複数の検知手段及び異常検知手段として機能するセンサＳを備えている。これらのセンサＳは、例えば透過型センサによって構成され、カード媒体の有無に対応した検知信号を出力する。
【００２１】
すなわち、供給部１１０においては、上部ホッパ１１１から取り出されるカード媒体の有無を検知するためのセンサＳ１１、下部ホッパ１１２から取り出されるカード媒体の有無を検知するためのセンサＳ１２、手差し部１１３から取り出されるカード媒体の有無を検知するためのセンサＳ１３、上部ホッパ１１１から供給されたカード媒体を検知するためのセンサＳ１４、下部ホッパ１１２から供給されたカード媒体を検知するためのセンサＳ１５などが設けられている。
【００２２】
磁気処理部１２０においては、供給部１１０から磁気処理部１２０に搬送されたカード媒体を検知するためのセンサＳ２１、バーコードリーダ部１２１を通過したカード媒体を検知するためのセンサＳ２２、書込ヘッド１２３に向かって搬送されたカード媒体を検知するためのセンサＳ２３、ベリファイヘッド１２４を通過したカード媒体を検知するためのセンサＳ２４などが設けられている。
【００２３】
印刷処理部１３０においては、磁気処理部１２０から印刷処理部１３０に搬送されたカード媒体を検知するためのセンサＳ３１などが設けられている。集積部１４においては、印刷処理部１３０から集積部１４０に搬送されたカード媒体を検知するためのセンサＳ４１、スタッカ部１４１に向けて搬送されたカード媒体を検知するためのセンサＳ４２、回収部１４２に向けて搬送されたカード媒体を検知するためのセンサＳ４３、スタッカ部１４１にスタックされたカード媒体を検知するためのセンサＳ４４などが設けられている。
【００２４】
図３に示すように、カード製造ユニット１００は、制御手段として機能するＣＰＵ２００を備えている。このＣＰＵ２００は、カード製造ユニット１００全体を制御する。このＣＰＵ２００には、メモリ部２０１、供給制御部２０２、読取制御部２０３、磁気処理制御部２０４、印刷制御部２０５、集積制御部２０６、搬送制御部２０７、信号制御部２０８、通信制御部２０９などが接続されている。
【００２５】
メモリ部２０１は、カード製造ユニット１００を制御するための必要な所定データを記憶している。また、このメモリ部２０１は、各カード媒体に対応して、磁気記録するべき磁気情報及び印刷するべき印刷情報を関連付けて記憶している。
【００２６】
供給制御部２０２は、供給部１１０の上部ホッパ１１１、下部ホッパ１１２、及び、手差し部１１３の駆動を制御する。読取制御部２０３は、バーコードリーダ部１２１の駆動を制御する。
【００２７】
磁気処理制御部２０４は、読取ヘッド１２２、書込ヘッド１２３、及び、ベリファイヘッド１２４の駆動を制御する。ＣＰＵ２００は、磁気処理制御部２０４を制御して、ベリファイヘッド１２４によって読み取った磁気情報に基づいて磁気処理部１２０におけるエンコードミスを検知する。つまり、ベリファイヘッド１２４は、ＣＰＵ２００の制御に基づいてカード媒体に対して施した磁気処理の異常を検知する異常検知手段として機能する。
【００２８】
印刷制御部２０５は、第１印刷ヘッド１３１、及び、第２印刷ヘッド１３２の駆動を制御する。集積制御部２０６は、スタッカ部１４１、及び、回収部１４２の駆動を制御する。搬送制御部２０７は、搬送機構１５０を構成する搬送ローラ及び搬送ベルトの駆動を制御する。ＣＰＵ２００は、エンコードミスやジャムなどの異常発生時には、搬送制御部２０７を制御して搬送機構１５０の駆動を停止する。
【００２９】
信号制御部２０８は、各セクションに設けられた複数のセンサＳからの検知信号を検知する。ＣＰＵ２００は、信号制御部２０８を制御して、各センサＳからの検知信号に基づいて搬送路中に滞留しているカード媒体の位置を検知するとともに、ジャムの有無及びジャムの発生位置を検知する。つまり、各センサＳは、ＣＰＵ２００の制御に基づいて搬送路に存在するカード媒体の位置を検知する検知手段として機能するとともに、カード媒体を搬送する途中で発生した搬送異常を検知する異常検知手段として機能する。通信制御部２０９は、通信回線を介して接続された操作ユニット１０などとの間で所定データの送受信を行う。
【００３０】
ＣＰＵ２００は、カード媒体に対して施した処理の異常を検知した際、例えばベリファイヘッド１２４からの出力信号に基づいてカード媒体に対して施した磁気処理の異常を検知した場合あるいはセンサＳからの検知信号に基づいてカード媒体を搬送する途中で発生した搬送異常を検知した場合に、搬送機構１５０の駆動を停止する。
【００３１】
このとき、ＣＰＵ２００は、センサＳからの検知信号に基づいて、搬送路上に存在するカード媒体の位置を検知するとともに、各カード媒体の処理状態を検知する。ここで検知される処理状態は、「磁気処理前」、「磁気処理途中（磁気処理異常を含む）」、「磁気処理済」、「印刷処理前」、「印刷処理途中」、「印刷処理済」などのカテゴリに分類される。
【００３２】
すなわち、異常発生時において、ＣＰＵ２００は、センサＳ１４またはＳ１５によって検知された後であってセンサＳ２３によって検知される前のカード媒体に対して「磁気処理前」のカテゴリを付与する。また、ＣＰＵ２００は、センサＳ２３によって検知された後であってセンサＳ２４によって検知される前のカード媒体、もしくは、センサＳ２３及びセンサＳ２４にて検知された状態で停止したカード媒体に対して「磁気処理途中（または磁気処理異常）」のカテゴリを付与する。
【００３３】
また、ＣＰＵ２００は、センサＳ２４によって検知された後であってセンサＳ３１によって検知される前のカード媒体に対して「磁気処理済」または「印刷処理前」のカテゴリを付与する。また、ＣＰＵ２００は、センサＳ３１によって検知された後であってセンサＳ４１によって検知される前のカード媒体、もしくは、センサＳ３１及びセンサＳ４１にて検知された状態で停止したカード媒体に対して「印刷処理途中」のカテゴリを付与する。さらに、ＣＰＵ２００は、センサＳ４１によって通過が検知された後のカード媒体に対して「印刷処理済」のカテゴリを付与する。
【００３４】
次に、第１実施形態に係る一連のカード媒体処理業務について、図４に示したフローチャートを参照して説明する。なお、この第１実施形態では、カード媒体に対して磁気処理のみを行い、印刷処理は行わないものとする。
【００３５】
すなわち、ＣＰＵ２００は、通信制御部２０９を制御して、操作ユニット１０の入力部１３を介してスタートキーが押下されたか否かを検知する（ＳＴ１１）。続いて、ＣＰＵ２００は、スタートキーが押下されたと判断したのに基づいて（ＳＴ１１、Ｙ）、搬送制御部２０７を制御して搬送機構１５０を駆動するとともに、供給制御部２０２を制御して上部ホッパ１１１または下部ホッパ１１２から１枚のカード媒体を供給する（ＳＴ１２）。
【００３６】
続いて、ＣＰＵ２００は、読取制御部２０３を制御して、バーコードリーダ部１２１を駆動し、カード媒体に予め印刷されたバーコードを光学的に読み取る（ＳＴ１３）。続いて、ＣＰＵ２００は、磁気処理部２０４を制御して、読取ヘッド１２２を駆動し、磁気バーコード及びその他の磁気トラックに予め記録された磁気情報を読み取る（ＳＴ１４）。これにより、供給されたカード媒体の妥当性が判断される。
【００３７】
続いて、ＣＰＵ２００は、磁気処理部２０４を制御して、書込ヘッド１２３を駆動し、カード媒体の磁気バーコード及びその他の磁気トラックに、固有の識別情報を書き込むとともに、メモリ部２０１に記憶された識別情報に対応する所定の磁気情報を書き込む（ＳＴ１５）。
【００３８】
そして、ＣＰＵ２００は、磁気処理部２０４を制御して、ベリファイヘッド１２４を駆動して磁気バーコード及びその他の磁気トラックに記録された磁気情報を読み取り、書込ヘッド１２３によって書き込まれた所定の磁気情報と一致するか否かを確認する（ＳＴ１６）。
【００３９】
ＣＰＵ２００は、書込ヘッド１２３を介して書き込んだ磁気情報と、ベリファイヘッド１２４を介して読み取った磁気情報とが一致しないもしくはベリファイヘッド１２４を介して磁気情報が読み取れない場合には、エンコードミスが発生したと判断する。
【００４０】
なお、ＣＰＵ２００は、ステップＳＴ１６において、カード媒体に対して正常なエンコードが完了したと判断したのに基づいて、供給制御部２０２を制御して、上部ホッパ１１１または下部ホッパ１１２から次に処理すべきカード媒体を供給する。これにより、供給部１１０から集積部１４０までの搬送路上には、２枚のカード媒体が存在することになり、これらのカード媒体に対して並行して処理がなされる。
【００４１】
続いて、ＣＰＵ２００は、集積制御部２０６を制御して、スタッカ部１４１を駆動し、磁気処理が施されたカード媒体を集積する（ＳＴ１７）。これにより、１枚のカード媒体に対する一連のカード処理動作を終了する。
【００４２】
次に、第１実施形態に係る異常発生時の処理について、図５に示したフローチャートを参照して説明する。なお、ここでは、エンコードミス及び搬送異常（ジャムを含む）を異常として扱うが、その他の異常が発生した場合でも同様の処理を適用できることは言うまでもない。
【００４３】
すなわち、ＣＰＵ２００は、磁気処理部２０４を制御してベリファイヘッド１２４からの出力信号に基づいてエンコードミスを検知した場合（ＳＴ２１、Ｙ）、あるいは、信号処理部２０８を制御して搬送異常の発生を検知した場合には（ＳＴ２１、Ｎ；ＳＴ２２、Ｙ）、異常が発生したと判断して、搬送制御部２０７を制御して搬送機構１５０の駆動を停止する（ＳＴ２３）。
【００４４】
続いて、ＣＰＵ２００は、信号処理部２０８を制御して、各センサＳからの検知信号に基づいて搬送路中に滞留しているカード媒体の位置を検知する（ＳＴ２４）。そして、ＣＰＵ２００は、搬送路中に滞留している各カード媒体の処理状態を検知する（ＳＴ２５）。この第１実施形態では、上述した各センサＳからの出力信号に基づいて、「磁気処理前」、「磁気処理途中（磁気処理異常を含む）」、「磁気処理済」のいずれかのカテゴリが付与される。
【００４５】
続いて、ＣＰＵ２００は、操作ユニット１０の表示部１４に、カード媒体が存在する搬送路上の位置をカード媒体の処理状態すなわちカテゴリ別に所定の色で表示させる（ＳＴ２６）。
【００４６】
すなわち、ＣＰＵ２００は、通信制御部２０９を介して操作ユニット１０の制御部１１と通信し、カード製造ユニット１００において異常が発生した旨の情報、搬送路上に停止したカード媒体の位置に対応した情報、それぞれの位置のカード媒体のカテゴリに対応した情報などを送信する。そして、制御部１１は、カード製造ユニット１００から受信した情報に基づいて、表示部１４にカード媒体の位置をカテゴリに対応した所定の色で表示する。
【００４７】
第１実施形態では、例えば「磁気処理前」のカテゴリを有するカード媒体の位置は白色で表示し、「磁気処理途中（磁気処理異常を含む）」のカテゴリを有するカード媒体の位置は黒色で表示し、「磁気処理済」のカテゴリを有するカード媒体の位置は青色で表示する。
【００４８】
したがって、搬送路上に２枚のカード媒体が存在する場合、図６に示すような条件にしたがった色の組み合わせによってそれぞれのカードの位置が表示される。ここで、カード媒体１は、先に供給されたカード媒体であり、カード媒体２は、カード媒体１がベリファイヘッド１２４を通過したタイミングで後から供給されたカード媒体である。
【００４９】
図７は、異常発生時に表示部１４に表示される表示画面の一例を示すものである。この例では、先に供給されたカード媒体１の位置が青色で表示され、後から供給されたカード媒体２が白色で表示されている。
【００５０】
つまり、カード媒体１は、ベリファイヘッド１２４を通過した際に、磁気処理が正常になされたと判断されて「磁気処理済」のカテゴリを付与され、ベリファイヘッド１２４の先で停止していることを示している。また、カード媒体２は、「磁気処理前」のカテゴリを付与され、磁気処理部１２０の入口付近に停止していることを示している。
【００５１】
したがって、係員は、異常が発生した際に、表示部１４の表示画面にしたがって、カード媒体の停止位置及びそれぞれのカード媒体の処理状態を視覚的に確認することができる。したがって、複数のカード媒体が搬送路中に存在する場合であっても、それぞれのカード媒体に対応する処理状態を容易に対応付けすることが可能となる。
【００５２】
例えば、青色表示されたカード媒体は、既に処理が完了しているため、そのままスタッカ部１４１に載置すれば良いし、白色もしくは黒色に表示されたカード異媒体は、再度供給部１１０から供給することで再利用可能である。なお、再供給可能なカード媒体は、目視によって破損がないと確認できたものに限られる。このようにカード媒体を再利用することで、カード媒体の浪費を抑制することができる。
【００５３】
このように、係員は、表示部１４に表示された表示画面にしたがって搬送停止しているカード媒体を速やかに回収することができ、表示色にしたがって処理状態を把握してスタッカ部１４１に載置するか、供給部１１０から再供給するか、あるいは回収するか（破損カード媒体）などどのように後処理すればよいかを容易に判断できる。
【００５４】
このため、係員の負担を軽減することができるとともに、復帰処理を迅速化することができ、カード媒体の処理効率を向上することができる。
【００５５】
次に、第２実施形態に係るカード媒体処理業務について説明する。なお、この第２実施形態では、カード媒体に対して磁気処理及び印刷処理を行うものとする。
【００５６】
すなわち、一連のカード媒体処理業務は、図４を参照して先に説明した第１実施形態とほぼ同様である。この第２実施形態では、ステップＳＴ１６における磁気情報比較処理とステップＳＴ１７における集積処理との間に印刷処理が追加される。
【００５７】
つまり、ＣＰＵ２００は、磁気処理部２０４を制御して、書込ヘッド１２３を介して書き込んだ磁気情報と、ベリファイヘッド１２４を介して読み取った磁気情報とが一致すると判断したのに基づいて、印刷制御部２０５を制御してカード媒体に対して印刷処理を行う。すなわち、ＣＰＵ２００は、メモリ部２０１に記憶された所定の印刷情報に基づいて印刷制御部２０５を制御して、第１印刷ヘッド１３１及び第２印刷ヘッド１３２を駆動して、カード媒体の表面及び裏面に所定情報を印刷する。
【００５８】
その後、ＣＰＵ２００は、集積制御部２０６を制御して、スタッカ部１４１を駆動し、磁気処理が施されたカード媒体を集積する（ＳＴ１７）。これにより、１枚のカード媒体に対する一連のカード処理動作を終了する。
【００５９】
次に、第２実施形態に係る異常発生時の処理について説明する。なお、ここでは、第１実施形態と同様に、エンコードミス及び搬送異常（ジャムを含む）を異常として扱うが、その他の異常が発生した場合でも同様の処理を適用できることは言うまでもない。
【００６０】
すなわち、ＣＰＵ２００は、磁気処理部２０４を制御してベリファイヘッド１２４からの出力信号に基づいてエンコードミスを検知した場合（ＳＴ２１、Ｙ）、あるいは、信号処理部２０８を制御して搬送異常の発生を検知した場合には（ＳＴ２１、Ｎ；ＳＴ２２、Ｙ）、異常が発生したと判断して、搬送制御部２０７を制御して搬送機構１５０の駆動を停止する（ＳＴ２３）。
【００６１】
続いて、ＣＰＵ２００は、信号処理部２０８を制御して、各センサＳからの検知信号に基づいて搬送路中に滞留しているカード媒体の位置を検知する（ＳＴ２４）。そして、ＣＰＵ２００は、搬送路中に滞留している各カード媒体の処理状態を検知する（ＳＴ２５）。この第２実施形態では、上述した各センサＳからの出力信号に基づいて、「磁気処理前」、「磁気処理途中（磁気処理異常を含む）」、「磁気処理済」、「印刷処理途中」、「印刷処理済」のいずれかのカテゴリが付与される。
【００６２】
続いて、ＣＰＵ２００は、操作ユニット１０の表示部１４に、カード媒体が存在する搬送路上の位置をカード媒体の処理状態すなわちカテゴリ別に所定の色で表示させる（ＳＴ２６）。
【００６３】
すなわち、ＣＰＵ２００は、通信制御部２０９を介して操作ユニット１０の制御部１１と通信し、カード製造ユニット１００において異常が発生した旨の情報、搬送路上に停止したカード媒体の位置に対応した情報、それぞれの位置のカード媒体のカテゴリに対応した情報などを送信する。そして、制御部１１は、カード製造ユニット１００から受信した情報に基づいて、表示部１４にカード媒体の位置をカテゴリに対応した所定の色で表示する。
【００６４】
第２実施形態では、例えば「磁気処理前」のカテゴリを有するカード媒体の位置は白色で表示し、「磁気処理途中（磁気処理異常を含む）」のカテゴリを有するカード媒体の位置は黒色で表示し、「磁気処理済」のカテゴリを有するカード媒体の位置は黄色で表示し、「印刷処理途中」のカテゴリを有するカード媒体の位置は赤色で表示し、「印刷処理済」のカテゴリを有するカード媒体の位置は青色で表示する。
【００６５】
したがって、搬送路上に２枚のカード媒体が存在する場合、図８に示すような条件にしたがった色の組み合わせによってそれぞれのカードの位置が表示される。ここで、カード媒体１は、先に供給されたカード媒体であり、カード媒体２は、カード媒体１がベリファイヘッド１２４を通過したタイミングで後から供給されたカード媒体である。
【００６６】
図９は、異常発生時に表示部１４に表示される表示画面の一例を示すものである。この例では、先に供給されたカード媒体１の位置が青色で表示され、後から供給されたカード媒体２が黒色で表示されている。
【００６７】
つまり、カード媒体１は、磁気処理が正常になされた後に印刷処理を完了したと判断されて「印刷処理済」のカテゴリを付与され、集積部１４の入口付近で停止していることを示している。また、カード媒体２は、「磁気処理途中」のカテゴリを付与され、磁気処理部１２０における書込ヘッド付近に停止していることを示している。
【００６８】
したがって、係員は、異常が発生した際に、表示部１４の表示画面にしたがって、カード媒体の停止位置及びそれぞれのカード媒体の処理状態を視覚的に確認することができる。したがって、複数のカード媒体が搬送路中に存在する場合であっても、それぞれのカード媒体に対応する処理状態を容易に対応付けすることが可能となる。
【００６９】
例えば、青色表示されたカード媒体は、既に処理が完了しているため、そのままスタッカ部１４１に載置すれば良いし、白色、黒色、もしくは黄色に表示されたカード異媒体は、再度供給部１１０から供給することで再利用可能である。なお、再供給可能なカード媒体は、目視によって破損がないと確認できたものに限られる。さらに、赤色表示されたカード媒体は、印刷途中であるため、再利用不可能であって、回収部１４２に回収される。
【００７０】
このように、係員は、表示部１４に表示された表示画面にしたがって搬送停止しているカード媒体を速やかに回収することができ、表示色にしたがって処理状態を把握してスタッカ部１４１に載置するか、供給部１１０から再供給するか、あるいは回収するか（印刷途中カード媒体及び破損カード媒体）などどのように後処理すればよいかを容易に判断できる。
【００７１】
このため、係員の負担を軽減することができるとともに、復帰処理を迅速化することができ、カード媒体の処理効率を向上することができる。
【００７２】
また、上述した第１実施形態及び第２実施形態において、すべての処理を完了したカード媒体に対しては特定の色例えば青色で表示するように統一することにより、係員は、青色のカード媒体は正常に処理されたと視覚的に判断することができる。各処理状態に対応して割り振る色は、例えば交通信号のイメージに対応させることにより、状態をイメージしやすくすることが望ましい。
【００７３】
このような異常発生時において、係員が表示画面上に青色表示された位置のカード媒体を回収し、印刷状態に問題が無いと判断した場合には、スタッカ部１４１に載置する。このとき、係員は、操作ユニット１０の入力部１３を介して正常処理されたカード媒体をスタッカ部１４１に載置した旨を入力することで、スタッカ部１４１に集積されたカード媒体の枚数がカウントアップされる。
【００７４】
なお、上述した実施の形態では、先に供給されたカード媒体のベリファイ完了のタイミングで次のカード媒体を供給したが、この例に限定されるものではなく、他のタイミングで次のカード媒体を供給しても良いし、２枚以上のカード媒体を同時に搬送路上に繰り出して並行処理を行っても良い。
【００７５】
また、上述した第１実施形態では磁気処理のみを施す場合、第２実施形態では磁気処理及び印刷処理を施す場合についてそれぞれ説明したが、この例に限定されるものではなく、印刷処理のみを施す場合や、磁気処理や印刷処理以外の処理が加わる場合でも、この発明を適用することができる。
【００７６】
さらに、上述した実施の形態では、搬送路上に存在するカード媒体を５個のカテゴリに分類したが、より多くのカテゴリに分類しても良いし、すべての処理済／処理未完了の２つのカテゴリに分類しても良いし、さらには、すべての処理済／処理未完了（再供給することで再利用可能）／廃棄（再供給不可能）の３つのカテゴリに分類しても良い。
【００７７】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００７８】
【発明の効果】
以上説明したように、この発明によれば、係員の負担を軽減することができ、しかも、カード媒体の処理効率を向上することが可能なカード処理装置及びカード処理方法を提供することができる。
【図面の簡単な説明】
【図１】図１は、この発明の一実施の形態に係るカード処理システムの構成を概略的に示す図である。
【図２】図２は、図１に示したカード製造ユニットにおける各セクションの構成を概略的に示す図である。
【図３】図３は、図２に示したカード製造ユニットの制御系の構成を概略的に示すブロック図である。
【図４】図４は、一連のカード媒体処理業務を説明するためのフローチャートである。
【図５】図５は、異常発生時におけるカード媒体に対する処理方法を説明するためのフローチャートである。
【図６】図６は、第１実施形態に係る２枚のカード媒体についてのカテゴリ別の表示色の組み合わせを示す図である。
【図７】図７は、第１実施形態に係る表示部に表示される表示画面の一例を示す図である。
【図８】図８は、第２実施形態に係る２枚のカード媒体についてのカテゴリ別の表示色の組み合わせを示す図である。
【図９】図９は、第２実施形態に係る表示部に表示される表示画面の一例を示す図である。
【符号の説明】
１…カード処理システム
１０…操作ユニット
１４…表示部（表示手段）
１００…カード製造ユニット１００
１２０…磁気処理部（磁気処理手段）
１２３…書込ヘッド（書込手段）
１２４…ベリファイヘッド（確認手段、異常検知手段）
１３０…印刷処理部（印刷手段）
１５０…搬送機構（搬送手段）
２００…ＣＰＵ（制御手段）
Ｓ…センサ（検知手段、異常検知手段）
【図１】
2004185295.tif 000003
【図２】
2004185295.tif 000004
【図３】
2004185295.tif 000005
【図４】
2004185295.tif 000006
【図５】
2004185295.tif 000007
【図６】
2004185295.tif 000008
【図７】
2004185295.tif 000009
【図８】
2004185295.tif 000010
【図９】
2004185295.tif 000011